(57)【要約】      （修正有）【課題】低露点空気製造用除湿機の上流側で常時安定した外気潜熱処理を行い、効率よく露点を下げることができるプレクーラを提供する。【解決手段】冷却コイル１４によって所定量潜熱処理された外気は、冷却コイル１８によって冷却／除湿され、低露点空気製造用除湿機３２に供給される。冷却コイル１８の表面で着霜を確認すると、第２の流路３０に外気が流れるようにバルブ２０、２２を閉じバルブ２６、２８を開く。冷却コイル１６にブラインを供給するとともに冷却コイル１８へのブラインの供給を停止し、冷却コイル１６によって外気を潜熱処理する。このように運転条件を切替えると、外気は、着霜が生じている冷却コイル１８でデフロストを行い、冷却コイル１６によって冷却／除湿され、低露点空気製造用除湿機３２に供給される。冷却コイル１８でのデフロスト操作により、外気が潜熱処理されるため、冷却コイル１６の潜熱負荷が低減する。【選択図】図１
2005265250.tif 000002
【特許請求の範囲】
【請求項１】
ドライルーム設備にドライエアを供給する低露点空気製造用除湿機の上流側に配置され、所定の温湿度に潜熱処理した空気を前記低露点空気製造用除湿機に供給するプレクーラにおいて、
前記プレクーラは、
外気を吸引するファンと、
第１の冷却コイルと、
第２の冷却コイルと、
前記ファンによって吸引した外気を前記第１の冷却コイルから前記第２の冷却コイルを介して前記低露点空気製造用除湿機に供給する第１の流路と、
前記ファンによって吸引した外気を前記第２の冷却コイルから前記第１の冷却コイルを介して前記低露点空気製造用除湿機に供給する第１の流路と、
前記第１の流路又は前記第２の流路に外気が流れる流路を切り替える切替手段と、
前記切替手段を制御するとともに、前記第１の冷却コイル及び前記第２の冷却コイルの稼動及び停止を制御する制御手段と、
を備えたことを特徴とするプレクーラ。
【請求項２】
前記制御手段は、前記第１の流路に外気が流れるように前記切替手段を制御した場合には、前記第１の冷却コイルを停止制御するとともに前記第２の冷却コイルを稼動制御し、前記第２の流路に外気が流れるように前記切替手段を制御した場合には、前記第１の冷却コイルを稼動制御するとともに前記第２の冷却コイルを停止制御することを特徴とする請求項１に記載のプレクーラ。
【請求項３】
前記第１の流路の出口には第１の圧力計が設けられ、前記第２の流路の出口には第２の圧力計が設けられ、前記第１の冷却コイルと前記第２の冷却コイルとの間の中間流路には第３の圧力計が設けられ、
前記制御手段は前記第１の圧力計、前記第２の圧力計、及び前記第３の圧力計によって検出された圧力に基づいて前記切替手段を制御するとともに、前記第１の冷却コイル及び前記第２の冷却コイルの稼動及び停止を制御することを特徴とする請求項１又は２に記載のプレクーラ。
【請求項４】
前記第１の流路と前記第２の流路の合流部には風量計が設けられ、
前記制御手段は前記風量計によって検出された風量に基づいて前記切替手段を制御するとともに、前記第１の冷却コイル及び前記第２の冷却コイルの稼動及び停止を制御することを特徴とする請求項１又は２に記載のプレクーラ。
【請求項５】
前記ファンと前記第１の流路及び前記第２の流路との間には、第３の冷却コイルが配置され、前記第３の冷却コイルには冷水が供給されるとともに、前記第１の冷却コイル及び前記第２の冷却コイルにはブラインが供給されることを特徴とする請求項１、２、３又は４のうちいずれか一つに記載のプレクーラ。
【発明の詳細な説明】
【技術分野】
【０００１】
本発明はプレクーラに係り、特にドライルーム設備にドライエアを供給する低露点空気製造用除湿機の上流側に配置されるプレクーラに関する。
【背景技術】
【０００２】
本願出願人は、特許文献１において、ドライルーム設備にドライエアを供給する低露点空気製造用除湿機を提案している。また、この特許文献１では、ドライルーム設備として、露点温度−６０°Ｃ（水分１０ｐｐｍ）程度の低露点環境を必要とするリチウムイオン電池の製造設備を例示している。
【０００３】
ところで、低露点環境が必要なドライルーム設備では、低露点空気製造用除湿機からドライルーム設備に所望の低露点空気を供給するために、低露点空気製造用除湿機の上流側において、ある程度、外気潜熱処理を行う必要がある。このため、低露点空気製造用除湿機の上流側にはプレクーラが設置され、プレクーラによって外気を潜熱処理することにより低露点空気製造用除湿機の潜熱負荷を軽減し、低露点空気製造用除湿機からドライルーム設備に所望の低露点空気を供給するように構成されている。
【０００４】
図７は、従来のプレクーラ１の構造図である。同図に示すプレクーラ１は、ケーシング２内に外気を吸引／送風するためのファン３を有し、吸引した外気を粗除湿するために、その下流側に１０°Ｃ程度の冷水を使用した冷却コイル４、及びその下流側に更に露点を下げるためブラインを使用した冷却コイル５が並設されている。ファン３によって吸引された外気は冷却コイル４、及び冷却コイル５を通過することにより潜熱処理され、この処理外気が低露点空気製造用除湿機６に供給される。なお、低露点空気製造用除湿機６の構成及び作用については、特許文献１に詳述されているので、本件明細書においてはその説明を省略する。
【特許文献１】特開２００３−１４２５１号公報
【発明の開示】
【発明が解決しようとする課題】
【０００５】
しかしながら、図７に示した従来のプレクーラ１は、下流側の冷却コイル５を凍結や着霜が生じない温度で運転する必要があるため、外気の露点を大きく下げることができないという問題があった。何故ならば、冷却コイル５に凍結や着霜が生じた場合、冷却コイル５の運転を停止しなければならず、稼動率が下がるためである。また、このような凍結／着霜問題は、冷却コイル５の上流側にヒータ等のデフロスト装置７を配置し、デフロスト装置７によって冷却コイル５を加熱することにより解消できる。しかし、プレクーラ１にデフロスト装置７を別途設けなければならないので、イニシャルコスト及びランニングコストがかかるという問題があった。以上の事由から従来のプレクーラ１は、低露点空気製造用除湿機６の上流側において常時安定した外気の潜熱処理を行うことが難しく、また、効率よく露点を下げることも困難であった。
【０００６】
本発明は、このような事情に鑑みてなされたもので、低露点空気製造用除湿機の上流側において常時安定した外気の潜熱処理を行い、且つ効率よく露点を下げることができるプレクーラを提供することを目的とする。
【課題を解決するための手段】
【０００７】
請求項１に記載の発明は、前記目的を達成するために、ドライルーム設備にドライエアを供給する低露点空気製造用除湿機の上流側に配置され、所定の温湿度に潜熱処理した空気を前記低露点空気製造用除湿機に供給するプレクーラにおいて、前記プレクーラは、外気を吸引するファンと、第１の冷却コイルと、第２の冷却コイルと、前記ファンによって吸引した外気を前記第１の冷却コイルから前記第２の冷却コイルを介して前記低露点空気製造用除湿機に供給する第１の流路と、前記ファンによって吸引した外気を前記第２の冷却コイルから前記第１の冷却コイルを介して前記低露点空気製造用除湿機に供給する第１の流路と、前記第１の流路又は前記第２の流路に外気が流れる流路を切り替える切替手段と、前記切替手段を制御するとともに、前記第１の冷却コイル及び前記第２の冷却コイルの稼動及び停止を制御する制御手段と、を備えたことを特徴としている。
【０００８】
請求項２に記載の発明によれば、前記制御手段は、前記第１の流路に外気が流れるように前記切替手段を制御した場合には、前記第１の冷却コイルを停止制御するとともに前記第２の冷却コイルを稼動制御し、前記第２の流路に外気が流れるように前記切替手段を制御した場合には、前記第１の冷却コイルを稼動制御するとともに前記第２の冷却コイルを停止制御することを特徴としている。
【０００９】
請求項１、２に記載の発明によれば、制御手段が切替手段を制御し、第１の流路に外気が流れるように流路を切り替え、且つ第１の冷却コイルを停止制御するとともに第２の冷却コイルを稼動制御し、第２の冷却コイルによって外気を潜熱処理する。この運転条件を「運転条件I 」と称する。
【００１０】
運転条件I において、外気は第２の冷却コイルで冷却／除湿され低露点空気製造用除湿機に供給されるが、しばらくすると、第２の冷却コイルの表面で着霜が生じ始める。着霜を確認すると、制御装置は、切替手段を制御し、第２の流路に外気が流れるように流路を切り替え、且つ第１の冷却コイルを稼動制御するとともに第２の冷却コイルを停止制御し、第１の冷却コイルによって外気を潜熱処理する。この運転条件を「運転条件II」と称する。
【００１１】
このように運転条件を、運転条件I から運転条件IIに切り替えると、外気は、着霜が生じている第２の冷却コイルでデフロストを行いつつ、第１の冷却コイルによって更に冷却／除湿され、低露点空気製造用除湿機に供給される。また、第２の冷却コイルでのデフロスト操作によって、外気が潜熱処理されるため、第１の冷却コイルの潜熱負荷を低減することができる。
【００１２】
この後、第１の冷却コイルに着霜が生じ始めると、制御手段は、運転条件IIから運転条件I に切り替える。これにより、外気は、着霜が生じている第１の冷却コイルでデフロストを行いながら、第２の冷却コイルによって更に冷却され、低露点空気製造用除湿機に供給される。また、第１の冷却コイルでのデフロスト操作により、外気が潜熱処理されるため、第２の冷却コイルの潜熱負荷を低減することができる。このように運転条件I 、IIの切り替えを着霜に基づいて繰り返すことにより、デフロスト操作を潜熱処理に利用することができ、低露点空気製造用除湿機の上流側で効率よく且つ安定した外気潜熱処理を行うことができる。したがって、本発明のプレクーラによれば、低露点空気製造用除湿機の上流側で常時安定した外気潜熱処理を行い、効率よく露点を下げることができる。
【００１３】
請求項３に記載の発明によれば、前記第１の流路の出口には第１の圧力計が設けられ、前記第２の流路の出口には第２の圧力計が設けられ、前記第１の冷却コイルと前記第２の冷却コイルとの間の中間流路には第３の圧力計が設けられ、前記制御手段は前記第１の圧力計、前記第２の圧力計、及び前記第３の圧力計によって検出された圧力に基づいて前記切替手段を制御するとともに、前記第１の冷却コイル及び前記第２の冷却コイルの稼動及び停止を制御することを特徴としている。
【００１４】
請求項３に記載の発明によれば、第１及び第２の冷却コイルに着霜が生じたことを、第１、第２及び第３の圧力計によって検出される外気の圧力に基づいて判断し、制御手段が切替手段を制御するとともに、第１の冷却コイル及び第２の冷却コイルの稼動及び停止を制御する。すなわち、運転条件I において第２の冷却コイルに着霜が生じ始めると、第３の圧力計によって検出される圧力が徐々に高くなり、第１の圧力計によって検出される圧力が徐々に低くなっていく。制御手段には、その差圧のしきい値が記憶されており、その差圧がしきい値を超えた場合（着霜が成長した場合）には、安定した低露点空気の供給が不能になると判断し、運転条件IIに切り替える。この後、運転条件IIにおいて第１の冷却コイルに着霜が生じ始めると、第３の圧力計によって検出される圧力が徐々に高くなり、第２の圧力計によって検出される圧力が徐々に低くなっていく。制御手段は、その差圧が前記しきい値を超えた場合（着霜が成長した場合）に、安定した低露点空気の供給ができなくなると判断し、運転条件I に切り替える。このように圧力計で検出された圧力に基づいて運転条件を切り替え制御することにより、低露点空気製造用除湿機の上流側で常時安定した外気潜熱処理を自動で行うことができ、効率よく露点を下げることができる。
【００１５】
請求項４に記載の発明によれば、第１及び第２の冷却コイルに着霜が生じたことを、第１の流路と第２の流路の合流部に設けた風量計によって検出される風量に基づいて判断し、制御手段が切替手段を制御するとともに、第１の冷却コイル及び第２の冷却コイルの稼動及び停止を制御する。すなわち、運転条件I において第２の冷却コイルに着霜が生じ始めると、風量計によって検出される風量が徐々に小量になっていく。制御手段には、その風量のしきい値が記憶されており、その風量がしきい値を超えた場合（着霜が成長した場合）には、安定した低露点空気の供給ができなくなると判断し、運転条件IIに切り替える。この後、風量は徐々に増えていくが、運転条件IIにおいて第１の冷却コイルに着霜が生じ始めると、風量計によって検出される風量が徐々に小量になっていく。制御手段は、その風量が前記しきい値を超えた場合（着霜が成長した場合）に、安定した低露点空気の供給ができなくなると判断し、運転条件I に切り替える。このように風量計で検出された風量に基づいて運転条件を切り替え制御することにより、低露点空気製造用除湿機の上流側で常時安定した外気潜熱処理を自動で行うことができ、効率よく露点を下げることができる。風量の前記しきい値は、ファンによって吸引される風量に基づいて設定されるものである。すなわち、風量の前記しきい値とは、ファンによって吸引される風量と風量計によって検出される風量との差に基づいて設定されている。
【００１６】
請求項５に記載の発明によれば、前記ファンと前記第１の流路及び前記第２の流路との間には、第３の冷却コイルが配置され、前記第３の冷却コイルには冷水が供給されるとともに、前記第１の冷却コイル及び前記第２の冷却コイルにはブラインが供給されることを特徴としている。外気を急激に冷却可能なブラインが供給される第１及び第２の冷却コイルによる外気潜熱処理の前段において、冷水が供給される第３の冷却コイルによってまず外気を緩やかに潜熱処理したので、第１及び第２の冷却コイルに生じる着霜を抑えることができる。よって、露点と風量の安定した外気潜熱処理を行うことができる。
【発明の効果】
【００１７】
本発明に係るプレクーラによれば、第１及び第２の冷却コイルを並列して備え、外気の第１及び第２の流路及び第１及び第２の冷却コイルの稼動、停止動作を切り替えられるようにしたので、低露点空気製造用除湿機の上流側で効率よく且つ安定した外気潜熱処理を行うことができる。また、第１及び第２の冷却コイルの周りの流路に第１、第２及び第３の圧力計を設けたり、プレクーラの出口の風量を常時検出する風量計を設けたりして、それぞれの検出値に基づき、第１及び第２の冷却コイルの稼動、停止及び外気の第１及び第２の流路の切り替えを制御したので、低露点空気製造用除湿機の上流側で効率よく、且つ露点と風量の安定した外気潜熱処理を自動で行うことができる。
【発明を実施するための最良の形態】
【００１８】
以下、添付図面に従って本発明に係るプレクーラの好ましい実施の形態について詳説する。
【００１９】
図１には、第１の実施の形態のプレクーラ１０の構造が示されている。同図に示すプレクーラ１０は、前段に外気を吸引／送風するファン１２、及び外気を粗除湿するために冷水（約１０°Ｃ）を使用した冷却コイル（第３の冷却コイル）１４が設けられている。また、プレクーラ１０の後段には、露点を急激に下げるためにブラインを使用した二段の冷却コイル（第１の冷却コイル）１６、及び冷却コイル（第２の冷却コイル）１８が並設されている。冷却コイル１４を出た外気は、バルブ２０、２２を備えた第１の流路２４、又はバルブ２６、２８を備えた第２の流路３０に選択的に送風される。なお、冷却コイル１６、１８に使用される冷媒として、ブラインに代えてフロンを使用してもよい。フロンの場合は、流量制御が困難でコンプレッサをＯＮ／ＯＦＦすることによる供給／停止操作しかできないが、塩化カルシウム又は食塩の水溶液であるブラインは流量制御が可能なので、微妙な温度制御が実行できるという利点がある。また、外気を急激に冷却可能なブラインが供給される冷却コイル１６、１８による外気潜熱処理の前段において、冷水が供給される冷却コイル１４によってまず外気を緩やかに潜熱処理したので、冷却コイル１６、１８に生じる着霜を抑えることができる。
【００２０】
第１の流路２４は、外気を冷却コイル１６から冷却コイル１８を介して低露点空気製造用除湿機３２に供給する流路であり、第２の流路３０は、外気を冷却コイル１８から冷却コイル１６を介して低露点空気製造用除湿機３２に供給する流路である。低露点空気製造用除湿機３２は、プレクーラ１０によって潜熱処理された外気を、ドライルーム設備３４に適した低露点空気になるように更に潜熱処理し、この低露点のドライエアをドライルーム設備３４に供給する除湿機である。なお、ドライルーム設備３４に供給されたドライエアの一部をファン１２によって吸引しプレクーラ１０に循環させる循環流路（不図示）も配設されている。
【００２１】
図１に示したプレクーラ１０の運転方法を説明する。まず、第１の流路２４に外気が流れるようにバルブ２０、２２を開くとともにバルブ２６、２８を閉じる。そして、冷却コイル１６へのブラインの供給を停止するとともに冷却コイル１８にブラインを供給し、冷却コイル１８によって外気を潜熱処理する運転条件を設定する。この運転条件を「運転条件I 」と称する。
【００２２】
運転条件I において、前段の冷却コイル１４によって所定量潜熱処理された外気は、冷却コイル１６を単に通過して、冷却コイル１８によって冷却／除湿され、低露点空気製造用除湿機３２に供給される。そして、しばらくすると、冷却コイル１８の表面で着霜が生じ始める。着霜を確認すると、第２の流路３０に外気が流れるようにバルブ２０、２２を閉じるともにバルブ２６、２８を開く。そして、冷却コイル１６にブラインを供給するとともに冷却コイル１８へのブラインの供給を停止し、冷却コイル１６によって外気を潜熱処理する運転条件を設定する。この運転条件を「運転条件II」と称する。
【００２３】
このように運転条件I から運転条件IIに運転を切り替えると、外気は、着霜が生じている冷却コイル１８でデフロストを行いつつ、冷却コイル１６によって更に冷却／除湿され、低露点空気製造用除湿機３２に供給される。また、冷却コイル１８でのデフロスト操作によって、外気がここで潜熱処理されるため、冷却コイル１６の潜熱負荷を低減することができる。
【００２４】
この後、冷却コイル１６に着霜が生じ始めると、運転条件IIから運転条件I に運転を切り替える。これにより、外気は、着霜が生じている冷却コイル１６でデフロストを行いながら、デフロストされた冷却コイル１８によって更に冷却され、低露点空気製造用除湿機３２に供給される。また、冷却コイル１６でのデフロスト操作により、外気がここで潜熱処理されるため、冷却コイル１８の潜熱負荷を低減することができる。
【００２５】
このように運転条件I 、IIの切り替えを着霜状況に基づいて繰り返すことにより、デフロスト操作を潜熱処理に利用することができ、超低露点空気製造用除湿機の上流側で効率よく且つ安定した外気潜熱処理を行うことができる。したがって、第１の実施の形態のプレクーラ１０によれば、低露点空気製造用除湿機の上流側で常時安定した外気潜熱処理を行い、効率よく露点を下げることができる。
【００２６】
図２は、図１に示したプレクーラ１０の構造を基本としたプレクーラ１０の変形例が示されている。図１のプレクーラ１０は、流路変更用のバルブ２０、２２、２６、２８として二方バルブを使用したため、一つの流路２４、３０において各々２台のバルブ２０、２２、バルブ２６、２８を必要としたが、図２の如くバルブとして三方バルブ３６、３８を使用するとことにより、二台の三方バルブ３６、３８を設けることで、図１に示したプレクーラ１０と同様の作用効果を得ることができる。すなわち、上流側において三方バルブ３６が第１の流路２４と第２の流路との分岐部に設けられ、下流側において三方バルブ３８が第１の流路２４と第２の流路との合流部に設けられている。
【００２７】
図１のプレクーラ１０は、冷却コイル１６、１８の表面の着霜状態を確認した後、運転条件を運転条件I から運転条件IIに、運転条件IIから運転条件I に手動で切り替えるものである。
【００２８】
図３には、運転条件の切り替えを自動化したプレクーラ５０が示されている。図３のプレクーラ５０を説明するに当たり、図１に示した第１の実施の形態のプレクーラ１０と同一若しくは類似の部材については同一の符号を付して説明する。
【００２９】
図３のプレクーラ５０は、コンピュータ（制御手段）５２によって冷却コイル１６、１８の稼動／停止を制御するとともに、各バルブ２０、２２、２６、２８を開閉させる不図示の電磁弁（切替手段）を制御することにより、運転条件I 、IIの切り替えを自動化したものであり、外気の圧力を検出する３台の圧力計５４、５６、５８、又は風量計６０のうち少なくとも一種類の計器から出力される検出値に基づいて運転条件I 、IIの切り替えを行う。なお、符号６２は露点計である。
【００３０】
まず、圧力計５４、５６、５８によって検出された圧力に基づいて運転条件I 、IIの切り替えを制御する例について説明する。
【００３１】
圧力計（第１の圧力計）５４は、第１の流路２４の出口に設けられ、圧力計（第２の圧力計）５６は、第２の流路３０の出口に設けられている。また、圧力計５８は、冷却コイル１６と冷却コイル１８との間の中間流路６４に設けられている。運転条件I において冷却コイル１８に着霜が生じ始めると、冷却コイル１８の空気抵抗が大きくなるので、圧力計５８によって検出される圧力が徐々に高くなり、圧力計５４によって検出される圧力が徐々に低くなっていく。
【００３２】
コンピュータ５２には、その差圧のしきい値（図４参照）が記憶されており、その差圧がしきい値を超えた場合（着霜が成長した場合）には、安定した低露点空気の供給ができなくなると判断し、運転条件IIに切り替える。このように運転条件I から運転条件IIに自動的に切り替えることにより、外気は、着霜が生じている冷却コイル１８でデフロストを行いつつ、デフロストされた冷却コイル１６によって更に冷却／除湿され、低露点空気製造用除湿機３２に供給される。また、冷却コイル１８でのデフロスト操作によって、外気がここで潜熱処理されるため、冷却コイル１６の潜熱負荷を低減することができる。
【００３３】
この後、運転条件IIにおいて冷却コイル１６に着霜が生じ始めると、同様に圧力計５８によって検出される圧力が徐々に高くなり、圧力計５６によって検出される圧力が徐々に低くなっていく。コンピュータ５２は、その差圧がしきい値（図５参照）を超えた場合（着霜が成長した場合）に、安定した低露点空気の供給ができなくなると判断し、運転条件I に切り替える。このように運転条件IIから運転条件I に自動的に切り替えることにより、外気は、着霜が生じている冷却コイル１６でデフロストを行いつつ、デフロストされた冷却コイル１８によって更に冷却／除湿され、低露点空気製造用除湿機３２に供給される。また、冷却コイル１８でのデフロスト操作によって、外気がここで潜熱処理されるため、冷却コイル１６の潜熱負荷を低減することができる。このように圧力計５４、５６、５８によって検出された圧力に基づいて運転条件I 、IIを切り替え制御することにより、低露点空気製造用除湿機の上流側で常時安定した外気潜熱処理を自動で行うことができ、効率よく露点を下げることができる。
【００３４】
ここで、図４について説明する。図４のグラフは、外気冷却時間に対する冷却コイル１６、１８の前後の差圧の変化を示したグラフであり、横軸に経過時間、縦軸に差圧が示されている。同図によれば、時間の経過とともに霜が成長していき、差圧が上昇していくことが示され、差圧の許容運転領域の上限値がしきい値であることが示されている。このしきい値がコンピュータ５２に記憶されている。なお、許容運転領域とは、運転条件の切り替えを行わない領域である。
【００３５】
次に、図３に示した風量計６０によって検出された風量に基づいて運転条件I 、IIの切り替えを制御する例について説明する。
【００３６】
この風量計６０は、流路２４と流路３０の合流部に設けられている。運転条件I において冷却コイル１８に着霜が生じ始めると、風量計６０によって検出される風量が徐々に小量になっていく。コンピュータ５２には、その風量のしきい値（図５参照）が記憶されており、その風量がしきい値を超えた場合（着霜が成長した場合）には、安定した低露点空気の供給ができなくなると判断し、運転条件IIに切り替える。
【００３７】
この後、風量は徐々に増えていくが、運転条件IIにおいて冷却コイル１６に着霜が生じ始めると、風量計６０によって検出される風量が徐々に小量になっていく。コンピュータ５２は、その風量が前記しきい値を超えた場合（着霜が成長した場合）に、安定した低露点空気の供給ができなくなると判断し、運転条件I に切り替える。このように風量計６０で検出された風量に基づいて運転条件を切り替え制御することにより、低露点空気製造用除湿機３２の上流側で常時安定した外気潜熱処理を自動で行うことができ、効率よく露点を下げることができる。なお、風量の前記しきい値は、ファン１２によって吸引される風量に基づいて設定されるものである。すなわち、風量の前記しきい値とは、ファン１２によって吸引される風量と風量計６０によって検出される風量との差に基づいて設定されている。
【００３８】
ここで、図５について説明する。図５のグラフは、冷却コイル１６、１８前後の差圧の変化に対するプレクーラ５０の出口の風量の変化を示したグラフであり、横軸に差圧、縦軸に風量が示されている。同図によれば、霜成長に起因する差圧の上昇に従って風量が減少していくことが示され、風量の許容運転領域の下限値がしきい値であることが示されている。このしきい値がコンピュータ５２に記憶されている。なお、許容運転領域とは、運転条件の切り替えを行わない領域である。
【００３９】
図６は、図３に示したプレクーラ５０の構造を基本としたプレクーラ５０の変形例が示されている。図３のプレクーラ１０は、流路変更用のバルブ２０、２２、２６、２８として二方バルブを使用したため、一つの流路２４、３０のおいて各々２台のバルブ２０、２２、バルブ２６、２８を必要としたが、図６の如くバルブとして三方バルブ３６、３８を使用するとことにより、二台の三方バルブ３６、３８を設けることで、図３に示したプレクーラ５０と同様の作用効果を得ることができる。すなわち、上流側において三方バルブ３６が第１の流路２４と第２の流路との分岐部に設けられ、下流側において三方ダンパ３８が第１の流路２４と第２の流路との合流部に設けられている。なお符号６４は、冷却コイル１４の出口部における圧力を検出するための圧力計である。
【図面の簡単な説明】
【００４０】
【図１】第１の実施の形態のプレクーラの構造を示したブロック図
【図２】図１に示したプレクーラの変形例の構造を示したブロック図
【図３】第２の実施の形態のプレクーラの構造を示したブロック図
【図４】外気冷却時間に対する冷却コイル前後の差圧の変化を示したグラフ
【図５】冷却コイル前後の差圧の変化に対するプレクーラ出口の風量の変化を示したグラフ
【図６】図３に示したプレクーラの変形例の構造を示したブロック図
【図７】従来のプレクーラの構造を示したブロック図
【符号の説明】
【００４１】
１０…プレクーラ、１２…ファン、１４、１６、１８…冷却コイル、２０、２２、２６、２８、３６、３８…バルブ、２４、３０…流路、３２…低露点空気製造用除湿機、３４…ドライルーム設備、、５４、５６、５８…圧力計、６０…風量計、６２…露点計
【図１】
2005265250.tif 000003
【図２】
2005265250.tif 000004
【図３】
2005265250.tif 000005
【図４】
2005265250.tif 000006
【図５】
2005265250.tif 000007
【図６】
2005265250.tif 000008
【図７】
2005265250.tif 000009